(57)【要約】【課題】  本発明の目的の１つはこの種のディスプレイ装置の更なる改良にあり、特に使用法と使い易さの可能性を広げる事にある。【解決手段】  光学的に透明な窓６と、ポスター内の窓を通して見ることが出来る内部ディスプレイ７ａを与えるイメージを与える装置７とを備えたポスター５を含むディスプレイ装置。ポスターに相対する内部ディスプレイの位置、または内部ディスプレイの形、または内部ディスプレイの大きさから選ばれた幾何学的パラメータは内部ディスプレイが与えられたポスターの窓に収まるように調整される。【選択図】図１
2004348107.tif 000002
【特許請求の範囲】
【請求項１】
光学的に透明な窓（６）を備えた少なくとも１つのポスター（５）と、
ポスター内の上記窓（６）を通して見ることの出来る内部ディスプレイを与える少なくとも１つのイメージを与える装置（７）とを備えたディスプレイ装置であって、
ポスター（５）に相対した内部ディスプレイ（７ａ）の位置、内部ディスプレイ（７ａ）の形、および内部ディスプレイ（７ａ）の大きさから選択される少なくとも１つの幾何学的パラメータを物理的に変更するのに適応する調整手段（１０、８、９、１４、１５）を含むこと、および
使用される上記幾何学的パラメータは、内部ディスプレイ（７ａ）が与えられたポスターの窓（６）に収まるようなものであることで特徴づけられるディスプレイ装置。
【請求項２】
調整手段がディスプレイ装置１に搭載された電子中央演算処理装置（１０）を備え、上記中央演算処理装置は上記幾何学的パラメータに対応する調整データの少なくとも１つの項目をメモリ上に持ち、上記中央演算処理装置は内部ディスプレイの幾何学的パラメータを物理的に変更するのに適応している請求項１に記載のディスプレイ装置。
【請求項３】
イメージを与える装置（７）が電子スクリーンであり、上記中央演算処理装置がスクリーン上で内部ディスプレイが形成されるアクティブな部分を決定するのに適応している請求項２に記載のディスプレイ装置。
【請求項４】
電子中央演算処理装置（１０）はポスター（５）に相対してイメージを与える装置（７）を機械的に移動させるため駆動手段（１４、１５）を制御するのに適応している請求項２または請求項３に記載のディスプレイ装置。
【請求項５】
上記調整データの少なくとも１つの項目を中央演算処理装置（１０）にロードするのに適応した、少なくとも１つのインターフェイス（１２、１３）を備えた請求項２から４のいずれか１つに記載のディスプレイ装置。
【請求項６】
上記インターフェイスは少なくとも１つのデータメディアリーダー（１２）を備える請求項５に記載のディスプレイ装置。
【請求項７】
上記インターフェイスは通信インターフェイス（１３）を備える請求項５または請求項６に記載のディスプレイ装置。
【請求項８】
ポスターからデータ（５ｂ）を読込むとともに、該データを中央演算処理装置（１０）に送信するのに適応した少なくとも１つのセンサ（１１）を備えた請求項２から７のいずれか１つに記載のディスプレイ装置。
【請求項９】
中央演算処理装置は調整データの少なくとも上記項目をポスターから読み込まれたデータ（５ｂ）の機能としてダウンロードするのに適応した請求項７または請求項８に記載のディスプレイ装置。
【請求項１０】
イメージを与える装置（７）が電子スクリーンであり、ポスターから読み込まれたデータ（５ｂ）の機能として、中央演算処理装置（１０）はディスプレイ装置に備わった通信インターフェイスを経由して、上記スクリーンに表示すべき少なくとも１つの内部ディスプレイプログラムをダウンロードするのに適応した請求項８または請求項９に記載のディスプレイ装置。
【請求項１１】
イメージを与える装置は電子スクリーンであり、ポスターから読まれたデータ（５ｂ）の機能として、中央演算処理装置はポスター（５）に対応しかつディスプレイ装置（１）に保存された複数の内部ディスプレイプログラムから選ばれた１つの内部ディスプレイプログラムのスクリーン（７）上へ表示に適応した請求項８から１０のいずれか１つに記載のディスプレイ装置。
【請求項１２】
同一ディスプレイ装置（１）に、光学的に透明な窓（６）を備えた少なくとも１つのポスター（５）と、イメージを与える装置（７）上に与えられポスター内の窓（６）を通して見ることの出来る少なくとも１つの内部ディスプレイ（７ａ）とを同時に与えるディスプレイ方法であって、上記ディスプレイ方法は内部ディスプレイ（７ａ）が与えられたポスター内の窓（６）に収まるように少なくとも１つの幾何学的パラメータが物理的に変更される特徴を備えていて、上記幾何学的パラメータはポスター（５）に対応した内部ディスプレイ（７ａ）の位置、内部ディスプレイの形、内部ディスプレイの大きさから選択されるディスプレイ方法。
【請求項１３】
イメージを与える装置（７）が電子スクリーンであり、上記幾何学的パラメータを変更するためスクリーン（７）上でのアクティブな部分が決定され、内部ディスプレイ（７ａ）が上記アクティブな部分に表示される請求項１２に記載の方法。
【請求項１４】
上記幾何学的パラメータを変更するために、イメージを与える装置（７）がポスター（５）に相対して機械的に移動する請求項１３に記載の方法。
【請求項１５】
ポスター（５）の交換中に、上記幾何学的パラメータに対応する調整データの少なくとも１つの項目がインターフェイス（１２、１３）経由でディスプレイ装置に備えられた電子中央演算処理装置にロードされ、さらに上記調整データ項目の機能により上記中央演算処理装置（１０）が上記内部ディスプレイの幾何学的パラメータを物理的に変更する請求項１２から１４のいずれか１つに記載の方法。
【請求項１６】
上記インターフェイスはデータメディアを読むためのリーダインターフェイス（１２）を備え、上記インターフェイスによりデータメディアから読み出されることによりロードされる上記調整データ項目を含む請求項１５に記載の方法。
【請求項１７】
インターフェイスは通信インターフェイス（１３）を備え、上記通信インターフェイス（１３）経由で上記調整データ項目がダウンロードされる請求項１５に記載の方法。
【請求項１８】
データ（５ｂ）がポスターから読み込まれ、ポスターから読み込まれた上記データに対応する調整データ項目がダウンロードされる請求項１７に記載の方法。
【請求項１９】
イメージを与える装置（７）は電子スクリーンであり、ポスターから読み込んだデータ（５ｂ）の機能として、スクリーン（７）上に表示させるために少なくとも１つの内部ディスプレイプログラムがダウンロードされる請求項１７または請求項１８に記載の方法。
【請求項２０】
イメージを与える装置（７）は電子スクリーンであり、データ（５ｂ）はポスター（５）から読み込まれ、上記データ（５ｂ）の機能により、ポスター（５）に対応し複数の内部ディスプレイプログラムから選ばれた内部ディスプレイプログラムがスクリーン（７）上に表示される請求項１２から１９のいずれか１つに記載の方法。
【発明の詳細な説明】
【技術分野】
【０００１】
本発明はディスプレイ装置およびディスプレイ方法に関するものである。
更に詳しく述べると、本発明は以下のものを備えたディスプレイ装置に関連している。
・光学的に透明な窓（開口部があるか透明な固体物質から成る）を備えた少なくとも１つのポスター。
・ポスター内の上記窓を通して見ることの出来る内部（ｉｎｔｅｒｎａｌ）ディスプレイを与える少なくとも１つのイメージを与える装置。
【背景技術】
【０００２】
特許文献１は極めて充分に動作するディスプレイ装置の例について説明している。
【特許文献１】仏国特許出願公開第７９３０６１号明細書
【発明の開示】
【発明が解決しようとする課題】
【０００３】
本発明の目的の１つは、この種のディスプレイ装置の更なる改良にあり、特に使用法と使い易さの可能性を広げる事にある。
【課題を解決するための手段】
【０００４】
この目的を達成するためになされた本発明にかかる、課題となっているこの種のディスプレイ装置は次の特徴を備えている。
【０００５】
本発明にかかるディスプレイ装置は、以下より選ばれた少なくとも１つの幾何学的パラメータを物理的に変更するのに適した調整手段を備えている。これらのパラメータは、ポスターに相対した内部ディスプレイ位置、内部ディスプレイの形、そして内部ディスプレイの大きさである。
【０００６】
使用される上記幾何学的パラメータは、与えられたポスターの窓に収まる内部ディスプレイのようなものである。
【０００７】
これらの条件によりポスター内の窓はポスターごとに異なる。これによりポスターの製作者により大きな自由を与え、既存のポスターに上記窓を備えるように適応する事が簡単になる。
【０００８】
本発明におけるディスプレイ装置の好ましい実施の形態では、以下の条件のいずれかを使用することも可能である。
【０００９】
上記調整手段はディスプレイ装置に備わっている電子中央演算処理装置から構成され、上記中央演算処理装置はメモリに上記幾何学的パラメータに対応する調整データの少なくとも１つの項目を保持し、上記中央演算処理装置は上記内部ディスプレイ用の幾何学的パラメータを物理的に変更するのに適応している。
【００１０】
上記イメージを与える装置は電子スクリーンであり、上記中央演算処理装置がスクリーン内で内部ディスプレイが形成されるアクティブな部分を決定するのに適応している。
【００１１】
上記電子中央演算処理装置はポスターに相対してイメージを与える装置を機械的に移動させるための駆動手段の制御に適応している。
【００１２】
上記ディスプレイ装置は、上記調整データの少なくとも１つの項目を中央演算処理装置へロードするのに適応したインターフェイスを少なくとも１つ備えている。
【００１３】
上記インターフェイスは少なくとも１つのデータメディアリーダ（ＣＤ−ＲＯＭ、またはＤＶＤ，またはディスク、またはその類似物からデータを読み出すために）を備えている。
【００１４】
上記インターフェイスは通信インターフェイスを備えている。
【００１５】
上記ディスプレイ装置はポスターからデータを読込むこと（例えばバーコードまたはその類似物の形で光学的にデータを読み込むことによって）と、上記データを中央演算処理装置へ送信するのに適応したセンサを少なくとも１つ備えている。
【００１６】
上記中央演算処理装置は上記ポスターから読み込んだデータの機能として調整データの少なくとも上記項目のダウンロードに適応している。
【００１７】
上記イメージを与える装置は電子スクリーンであり、ポスターから読み込んだデータの機能により、上記中央演算処理装置は、ディスプレイ装置に備わっている通信インターフェイス経由で、スクリーンに表示される少なくとも１つの内部ディスプレイプログラムをダウンロードするのに適応している。
【００１８】
上記イメージを与える装置は電子スクリーンであり、ポスターから読み込んだデータの機能により、中央演算処理装置は、ポスターに対応しかつ、ディスプレイ装置に保存された内部ディスプレイプログラムのうち幾つかが選択される内部ディスプレイプログラムをスクリーン上に与えるのに適応している。
【００１９】
本発明はまた光学的に透明な窓を備えた少なくとも一枚のポスターと、イメージを与える装置により与えられポスター内の上記窓を通して見ることの出来る少なくとも１つの内部ディスプレイとを同時に１つのディスプレイ装置に与えることのできる表示方法を提供するものである。上記表示方法では内部ディスプレイが与えられるポスターの窓に収まるように少なくとも１つの幾何学的パラメータが物理的に変更され、また上記幾何学的パラメータはポスターに相対した内部ディスプレイの位置、内部ディスプレイの形、そして内部ディスプレイの大きさから選択される。
【００２０】
本発明の方法を好ましく実施するのに、以下の条件のいずれかを用いる事も状況に応じて可能である。
【００２１】
内部ディスプレイは電子スクリーンの上に与えられ、上記幾何学的パラメータを変更するために、スクリーン上のアクティブな部分が決定され、上記アクティブな部分に内部ディスプレイが表示される。
【００２２】
幾何学的パラメータを変更するために、ポスターに相対してイメージを与える装置が機械的に移動する。
【００２３】
ポスターが交換される時に、上記幾何学的パラメータに対応する調整データの少なくとも１つの項目がインターフェイス経由でディスプレイ装置に備わっている電子中央演算処理装置にロードされ、さらに上記中央演算処理装置は上記調整データ項目の機能により内部ディスプレイの上記幾何学的パラメータを物理的に変更する。
【００２４】
上記インターフェイスはデータメディアからデータを読み込むためのリーダインターフェイスを備えており、上記調整データ項目は上記インターフェイスによりデータメディアからデータを読み込むことによりロードされる。
【００２５】
上記インターフェイスは通信インターフェイスを備え、上記調整データ項目が上記通信インターフェイス経由でダウンロードされる。
【００２６】
データはポスターから読み取られ、ポスターから読み取られたデータに対応した調整データ項目がダウンロードされる。
【００２７】
上記イメージを与える装置は電子スクリーンであり、ポスターから読み取られるデータの機能として、スクリーン上に表示される少なくとも１つの内部ディスプレイプログラムがダウンロードされる。
【００２８】
イメージを与える装置は電子スクリーンであり、データはポスターから読み取られ、そして上記データの機能として、ポスターに対応し、幾つかの内部ディスプレイプログラムの中から選ばれた内部ディスプレイプログラムがスクリーン上に表示される。
【００２９】
本発明の他の特徴や利点は、付属する図を参照する非限定的なにより示される実施の形態の１つである以下の説明を読むことにより明らかになる。
【発明を実施するための最良の形態】
【００３０】
添付の図において同様な参照番号は同一のまたは同様な要素を示す。
【００３１】
図１、図２はディスプレイ装置１を示し、例えば大通り、または空港、または駅、またはショッピングモールなどの公共の場所に設置するよう設計された掲示板の形を成す表示パネルの形をしている。
【００３２】
上記ディスプレイ装置１は閉じられた硬い（ｒｉｇｉｄ）外部容器２を備え、例えばスタンド２ａを用いて地上に設置されてもよいし、状況に応じて壁に固定されてもよい。外部容器２は前面に透明の開口部３を備え、通常はガラス４で閉じられている。
【００３３】
広告または一般への情報告知のために少なくとも１つのポスター５が容器２の中でガラス４の内側に設置される。上記ポスターは枠５ａまたはその類似物の上にぴんと張られて容器２中に固定されてもよい。ポスター５は紙から出来ていてもよいし、半透明の化学合成シートで出来ていてもよいし、見やすいように直管蛍光灯２ｂやその類似物でバックライトを当ててもよい。
【００３４】
ポスター５の大部分は容器２の外からポスターを通して容器２の中が見えないように充分不透明である。しかし、ポスター５のエリアのうちある部分は光学的に透明な窓６から構成され、ポスター５を通して内部のイメージを与える装置７を見ることが出来るようになっている。
【００３５】
例えば窓６は曲げることの出来る透明な化学合成物質から出来ているシートで構成されていてもよいが、状況に応じて、上記窓はポスター５を通して単に開口部で構成されていてもよい。窓６は図に示した例のように長方形の形をしていたり、上記窓６は必要に応じてポスター５内の他の違った幾何学的形、かつ／または他の違った大きさかつ／または他の違った位置であってもよい。
【００３６】
電子スクリーン７は例えばプラズマ、または液晶、または発光ダイオード（LED)、または陰極線管、またはほかの違ったタイプのイメージを与える装置であってもよい。
【００３７】
スクリーン７はポスター５の窓６の大きさよりも大きいときもある。その場合は上記イメージを与える装置がアクティブウインドウ（ａｃｔｉｖｅ  ｗｉｎｄｏｗ）として以下に参照する範囲のみのアクティブな部分に内部ディスプレイ部分７ａがあるように制御されている。上記アクティブウインドウはポスター５の窓６に収まるように配置され、寸法を合わせられ、形作られている。
【００３８】
このようにスクリーン７上の内部ディスプレイはスクリーン７の最大表示エリアを超えない範囲で、ポスター５の窓６に寸法、かつ／または場所、かつ／または形が適合するように適応している。
【００３９】
さらに、ポスター５の領域全体に渡って窓６がとりうる場所すべてに適応するために、スクリーン７は容器２の中を移動できるように取り付けられてもよい。  
【００４０】
それ故、図２と図３とで示されるように、上記スクリーンは状況に応じてガラス４に沿って、水平にまた垂直に移動できるよう取り付けられてもよい。この目的のため、スクリーン７は状況に応じて二つの水平レールまたはランナー（ｒｕｎｎｅｒ）８上を８ａの方向に水平に滑るように取り付けられてもよいし、上記水平方向のレールまたはランナーが容器２の内側に取り付けられる２つの垂直方向のレールまたはランナー９上を垂直方向９ａへ滑るように取り付けてもよい。さらに２つの水平レールまたはランナーが両端でスペーサ８ｂで相互接続され垂直レールまたはランナー９上を滑ることが出来るように取り付けられてもよい。
【００４１】
レールあるはランナー８、９によって移動するスクリーン７の位置を調整するのは状況によっては手動でやってもよいが、上記調整は自動化され、制御されるのが望ましい。例えば、スクリーン７を水平方向にモータＭ１、垂直方向にモータＭ２（図４参照）で動かして、アクチュエータ、ケーブル、その他類似品などの駆動装置を使って制御してもよい。
【００４２】
図４に示されている様にディスプレイ装置１は特にマイクロプロセッサＭＰ、メモリＭＥＭ、クロックＨから成る電子中央演算処理装置（ＣＰＵ）１０により制御される方が有利である。上記マイクロプロセッサＭＰはスクリーン７の操作を制御し、特に上記イメージを与える装置７は内部ディスプレイプログラム（ビデオ、一連の写真、アニメの映像など）を、マイクロプロセッサＭＰによりメモリＭＥＭの中に蓄えられるパラメータの機能として、大きさ、かつ／または位置、かつ／または形がスクリーン７の内側に収まるように制御されたアクティブウインドウ７ａ内でのみ放送する。
【００４３】
容器２内部のスクリーン７の位置が調整可能であって、上記調整がモータ駆動によるときマイクロプロセッサＭＰは状況に応じて下記のすべてまたはいくつかの部分に接続されていてもよい。
【００４４】
リーダ１１（Ｌ）はポスター５に備えられているコード５ｂを読めるよう適応しており、上記ポスターを識別して、上記コードは例えば光学的に読めるバーコードであったり、その他の種類のコードであってもよい。
【００４５】
また、ＣＤ−ＲＯＭ、またはＤＶＤ，またはディスク、または磁気テープ、または他のメディアを読むドライブのようなデータメディアを読むためのリーダ１２（ＤＲ）、または、
有線電話回線、または無線通信装置に繋がったモデムのような通信インターフェイス１３（ＣＯＭ）、または、
スクリーン７の位置が調整可能であって、上記調整がモータ駆動であった場合モータ１４（Ｍ１）、モータ１５（Ｍ２）はスクリーン７の位置を調整するよう適応している。
【００４６】
上記説明の装置は下記のように動作する。
【００４７】
オペレータがポスター５を交換したときには、上記ポスターのバーコード５ｂまたはその他の種類のコードがリーダ１１により読み取られ、それによりＣＰＵのマイクロプロセッサＭＰはどのポスターが貼られているか判断でき、どの内部ディスプレイプログラム（ビデオ、または一連の写真、またはアニメの映像、または他の種類のプログラム）が上記ポスターに対応しているかも判断でき、上記ポスター内の窓６の大きさ、かつ／または位置、かつ／または形をも判断できる。全ての上記データは例えばＣＰＵ１０内のメモリＭＥＭに保存されていたり、下記の処理を行うこともある。
【００４８】
ＣＰＵ１０またはリモートコンピュータの主導のもと、リモートコンピュータから通信インターフェイス１３を経由してダウンロードしたり、または
ポスターを交換したオペレータによりリーダ１２に挿入されたデータメディアからデータメディアリーダ１２を経由しロードしたりする。
【００４９】
このデータの根拠に関して、モータ駆動の移動式イメージを与える装置の場合には、マイクロプロセッサＭＰはモータ１４、１５を用いて窓６の後ろにあるスクリーン７の位置決めを行う。さらに上記マイクロプロセッサはスクリーン７上のアクティブウインドウ部分に表示される内部ディスプレイ７ａの大きさ、かつ／または形、かつ／または位置も決定する。故に上記アクティブウインドウは窓６に出来るだけ正確に一致するようになる。
【００５０】
それからマイクロプロセッサＭＰはアクティブウインドウ７ａ内で表示して公開される内部ディスプレイプログラム生成するだけであってもよいし、さらにまた状況に応じてディスプレイ装置１と共同で内部ディスプレイに対応した音声をスピーカー（図には描かれていない）で放送させてもよい。
【００５１】
本発明の改良としてスクリーン７の位置はオペレータがポスターを交換する時に上記オペレータにより手動で調整されてもよいし、状況に応じて調整可能な機能を備えてなくてもよい。
【００５２】
もう１つの改良としてユーザがスクリーン７上に同じアクティブウインドウ（状況に応じてスクリーン７の領域全体を使ってもよい）を連続して使うことも可能である。上記の場合上記ポスター内の窓６の位置の機能により、ポスター５に相対する内部ディスプレイの位置のみが調整可能である。
【００５３】
また他の改良としてデータメディアリーダ１２や通信インターフェイス１３を備えていなくてもよい。
【００５４】
さらに以前からの方法で既に知られているように、固定した１枚のポスター５を備える代わりにディスプレイ装置１はガラス４の後ろに連続的に与えられるよう、複数のポスターがモータ駆動のローラ（図には描かれていない）に帯状に巻きつけられている形で備えられていてもよい。上記の場合、各ポスターは各々違ったバーコード５ｂを備えていてもよい。これにより、マイクロプロセッサＭＰは瞬間的にどの内部映像を与えるか、与えられたポスター５に適合するようにスクリーン７のアクティブウインドウ内に与えられる内部ディスプレイ７ａの大きさ、かつ／または位置、かつ／または形はどうか決定する事ができる。
【００５５】
記しておくべきことで、ポスター５が固定された場合、リーダ１１とバーコード５ｂは備えてなくてよい。上記の場合、スクリーン７上に与えられる内部ディスプレイプログラムと上記内部ディスプレイ部分７ａ（ポスター５に相対するアクティブウインドウの位置、かつ／または寸法、かつ／または形）に関する幾何学的パラメータはポスターが交換される時にダウンロードされるか、リーダ１２を経由して読まれるデータメディアによりＣＰＵ１０のメモリＭＥＭにロードされる。そしてバーコード５ｂを用いてポスター５と内部ディスプレイが適合するかどうかをチェックせずにスクリーン７により自動的に内部ディスプレイが与えられる。
【００５６】
更に記しておくと、状況に応じてスクリーン７は他のイメージを与える装置に置き換えられてもよい。例えば、以前貼られていたポスターを与える装置であってもよい。その装置は例えば上記のようなＭ１、Ｍ２で位置を調整したりする事によりディスプレイ装置１内全体にわたって位置が調節できるような特徴を備えている。
【図面の簡単な説明】
【００５７】
【図１】本発明のディスプレイ装置の１つの実施の形態の斜視図である。
【図２】図１におけるディスプレイ装置の立体断面図である。
【図３】図２の装置のスクリーンがどのように取り付けられるかを示す詳細図である。
【図４】図１及び図２のディスプレイ装置に対応する制御回路のブロック図である。
【符号の説明】
【００５８】
１  ディスプレイ装置、５  ポスター、５ｂ  バーコードなどのデータ、６  窓、７  イメージを与える装置、７ａ  内部ディスプレイ装置、８、  水平レールまたはランナー、９  垂直レールまたはランナー、１０  中央演算処理装置、１１  センサ、１２  データメディアリーダ、１３  通信インターフェイス、１４  モータＭ１、１５  モータＭ２
【図１】
2004348107.tif 000003
【図２】
2004348107.tif 000004
【図３】
2004348107.tif 000005
【図４】
2004348107.tif 000006